(57)【要約】  第１サブピクセル群の繰り返しによって並んでなる表示領域を有する表示パネルを提供する。当該表示パネルは、複数の第１サブピクセル群のアレイを備える。複数の第１サブピクセル群の各々は、第１方向に第１サブ群と第２サブ群とを順次に備る。第１サブ群は、第１方向とは異なる第２方向に、第１色の第１サブピクセルと、第２色の第１サブピクセルと、第３色の第１サブピクセルとを順次に備える。第２サブ群は、第２方向に、第３色の第２サブピクセルと、第２色の第２サブピクセルと、第１色の第２サブピクセルと、第３色の第３サブピクセルと、第２色の第３サブピクセルと、第１色の第３サブピクセルとを順次に備える。
2020501170.tif 000002
【特許請求の範囲】
【請求項１】
第１サブピクセル群の繰り返しによって並んでなる表示領域を有しており、複数の第１サブピクセル群のアレイを備える表示パネルであって、
前記複数の第１サブピクセル群の各々は、第１方向に第１サブ群と第２サブ群とを順次に備え、
前記第１サブ群は、前記第１方向とは異なる第２方向に、第１色の第１サブピクセルと、第２色の第１サブピクセルと、第３色の第１サブピクセルとを順次に備え、
前記第２サブ群は、前記第２方向に、前記第３色の第２サブピクセルと、前記第２色の第２サブピクセルと、前記第１色の第２サブピクセルと、前記第３色の第３サブピクセルと、前記第２色の第３サブピクセルと、前記第１色の第３サブピクセルとを順次に備え、
前記第１サブ群における前記第１色の前記第１サブピクセルは、前記第２サブ群における前記第３色の前記第２サブピクセルおよび前記第２色の前記第２サブピクセルに隣接し、
前記第１サブ群における前記第２色の前記第１サブピクセルは、前記第２サブ群における前記第１色の前記第２サブピクセルおよび前記第３色の前記第３サブピクセルに隣接し、
前記第１サブ群における前記第３色の前記第１サブピクセルは、前記第２サブ群における前記第２色の前記第３サブピクセルおよび前記第１色の前記第３サブピクセルに隣接する、表示パネル。
【請求項２】
前記第２方向における各行にある、前記複数の第１サブピクセル群は繰り返してなり、
各行にある前記複数の第１サブピクセル群は、隣接する行にある前記複数の第１サブピクセル群に対して千鳥状に配置されている、請求項１に記載の表示パネル。
【請求項３】
前記表示領域は、サブピクセル繰り返しユニットの繰り返しによって充填され、前記表示パネルは、複数のサブピクセル繰り返しユニットのアレイを備え、
前記複数のサブピクセル繰り返しユニットは、前記複数の第１サブピクセル群と複数の第２サブピクセル群を備え、
前記複数のサブピクセル繰り返しユニットの各々は、前記第１方向に、前記複数の第１サブピクセル群のうちの１つと、前記複数の第２サブピクセル群のうちの１つとを順次に備えており、
前記複数の第２ピクセル群の各々は、第１方向に第３サブ群と第４サブ群とを順次に備え、
前記第３サブ群は、前記第２方向に、前記第２色の第４サブピクセルと、前記第３色の第４サブピクセルと、前記第１色の第４サブピクセルとを順次に備え、
前記第４サブ群は、前記第２方向に、前記第１色の第５サブピクセルと、前記第３色の第５サブピクセルと、前記第２色の第５サブピクセルと、前記第１色の第６サブピクセルと、前記第３色の第６サブピクセルと、前記第２色の第６サブピクセルとを順次に備え、
前記第３サブ群における前記第２色の前記第４サブピクセルは、前記第４サブ群における前記第１色の前記第５サブピクセルおよび前記第３色の前記第５サブピクセルに隣接し、
前記第３サブ群における前記第３色の前記第４サブピクセルは、前記第４サブ群における前記第２色の前記第５サブピクセルおよび前記第１色の前記第６サブピクセルに隣接し、
前記第３サブ群における前記第１色の前記第１サブピクセルは、前記第４サブ群における前記第３色の前記第６サブピクセルおよび前記第２色の前記第６サブピクセルに隣接する、請求項１に記載の表示パネル。
【請求項４】
前記第２方向における各行にある、前記複数のサブピクセル繰り返しユニットは繰り返してなり、
前記第１方向における各列にある、前記複数のサブピクセル繰り返しユニットは繰り返してなる、請求項３に記載の表示パネル。
【請求項５】
前記第１サブ群における前記第１色の前記第１サブピクセルは、前記第４サブ群における前記第３色の前記第５サブピクセルおよび前記第２色の前記第５サブピクセルに隣接し、
前記第１サブ群における前記第２色の前記第１サブピクセルは、前記第４サブ群における前記第１色の前記第６サブピクセルおよび前記第３色の前記第６サブピクセルに隣接し、
前記第１サブ群における前記第３色の前記第１サブピクセルは、前記第４サブ群における前記第２色の前記第６サブピクセルおよび前記第１色の前記第５サブピクセルに隣接する、請求項３に記載の表示パネル。
【請求項６】
前記第３サブ群における前記第２色の前記第４サブピクセルは、第１隣接サブピクセル繰り返しユニットにおける前記複数の第１サブピクセル群のうちの１つの第１サブピクセル群内の、前記第２サブ群における前記第１色の前記第３サブピクセルと、第２隣接サブピクセル繰り返しユニットにおける前記複数の第１サブピクセル群のうちの１つの第１サブピクセル群内の、前記第３色の前記第２サブピクセルとに隣接し、
前記第３サブ群における前記第３色の前記第４サブピクセルは、次の隣接サブピクセル繰り返しユニットにおける前記複数の第１サブピクセル群のうちの１つの第１サブピクセル群内の、前記第２サブ群における前記第２色の前記第２サブピクセルおよび前記第１色の前記第２サブピクセルに隣接し、
前記第３サブ群における前記第１色の前記第４サブピクセルは、次の隣接サブピクセル繰り返しユニットにおける前記複数の第１サブピクセル群のうちの１つの第１サブピクセル群内の、前記第２サブ群における前記第３色の前記第３サブピクセルおよび前記第２色の前記第３サブピクセルに隣接する、請求項３に記載の表示パネル。
【請求項７】
前記複数の第１サブピクセル群は、第１行において前記第２方向に順次に繰り返され、
前記複数の第２サブピクセル群は、前記第１行に隣接する第２行において前記第２方向に順次に繰り返され、
前記複数の第１サブピクセル群の各々と、前記複数の第２サブピクセル群の各々とは、それぞれ色違いの３つのサブピクセルずつを備えた３つのピクセルを備え、
前記３つのピクセルの各々における前記色違いの３つのサブピクセルは、第１サブ行と第２サブ行に配置され、
前記色違いの３つのサブピクセルの各々は、前記第１サブ行において２つのサブピクセルを備え、前記第２サブ行において１つのサブピクセルを備え、
前記３つのピクセルの前記第２サブ行におけるサブピクセルは、色違いのものであり、
前記複数のサブピクセル繰り返しユニットの各々における前記複数の第１サブピクセル群のうちの１つの第１サブピクセル群、および前記複数の第２サブピクセル群のうちの１つの第２サブピクセル群は、千鳥状に配置されており、前記複数の第１サブピクセル群のうちの前記１つの第１サブピクセル群における前記第２サブ行は、前記複数の第２サブピクセル群のうちの前記１つの第２サブピクセル群における前記第１サブ行に隣接し、
前記複数の第１サブピクセル群のうちの前記１つの第１サブピクセル群のおける前記第２サブ行にある各サブピクセルと、前記複数の第２サブピクセル群のうちの前記１つの第２サブピクセル群のおける前記第１サブ行にある２つの隣接するサブピクセルとは、３色の色違いのサブピクセルである、請求項３に記載の表示パネル。
【請求項８】
前記３つのピクセルの各々における前記３つの色違いのサブピクセルからの光は、所定の比率で混合されると白色光を生じるように配置される、請求項７に記載の表示パネル。
【請求項９】
前記複数の第１サブピクセル群の各々、および前記複数の第２サブピクセル群の各々における各サブピクセルは、長方形状を有する、請求項７に記載の表示パネル。
【請求項１０】
前記複数の第１サブピクセル群および前記複数の第２サブピクセル群の第１サブ行の各々にある各サブピクセルの長手方向は、前記第１方向に実質的に平行であり、
前記複数の第１サブピクセル群および前記複数の第２サブピクセル群の第２サブ行の各々にある各サブピクセルの長手方向は、前記第２方向に実質的に平行である、請求項９に記載の表示パネル。
【請求項１１】
前記複数の第１サブピクセル群の各々、および前記複数の第２サブピクセル群の各々における前記３つのピクセルの各々において、前記第２サブ行にある１つのサブピクセルの長手側は前記第１サブ行にある２つのサブピクセルの外側に隣接する、請求項９に記載の表示パネル。
【請求項１２】
前記複数の第１サブピクセル群の各々、および前記複数の第２サブピクセル群の各々における前記３つのピクセルは、それぞれピクセル幅を有し、
前記複数のサブピクセル繰り返しユニットの各々における前記複数の第１サブピクセル群のうちの１つ、および前記複数の第２サブピクセル群のうちの１つは、前記ピクセル幅の約０．４から約０．６の範囲の距離で互いに千鳥状に配置されている、請求項７に記載の表示パネル。
【請求項１３】
前記第１サブ行にある２つの隣接するピクセルのそれぞれの２つの隣接するサブピクセルは、第１距離で離れており、
前記第２サブ行にある２つの隣接するピクセルのそれぞれの２つの隣接するサブピクセルは、第２距離で離れており、
前記第１距離は、前記第２距離と実質的に同じである、請求項１２に記載の表示パネル。
【請求項１４】
前記複数のサブピクセル繰り返しユニットの各々における前記複数の第１サブピクセル群のうちの１つは、前記第２方向に第１ピクセル、第２ピクセル、および第３ピクセルを備え、
前記複数のサブピクセル繰り返しユニットの各々における前記複数の第２サブピクセル群のうちの１つは、前記第２方向に第４ピクセル、第５ピクセル、および第６ピクセルを備え、
前記第１ピクセル、前記第２ピクセル、前記第３ピクセル、前記第４ピクセル、前記第５ピクセル、および前記第６ピクセルは、それぞれ前記第１色のサブピクセル、前記第２色のサブピクセル、および前記第３色のサブピクセルを備え、
前記第１ピクセルは、前記第１サブ行において前記第２方向に前記第３色の前記サブピクセルおよび前記第２色の前記サブピクセルを順次に備えるとともに、前記第１色の前記サブピクセルが前記第２サブ行にあり、
前記第２ピクセルは、前記第１サブ行において前記第２方向に前記第１色の前記サブピクセルおよび前記第３色の前記サブピクセルを順次に備えるとともに、前記第２色の前記サブピクセルが前記第２サブ行にあり、
前記第３ピクセルは、前記第１サブ行において前記第２方向に前記第２色の前記サブピクセルおよび前記第１色の前記サブピクセルを順次に備えるとともに、前記第３色の前記サブピクセルが前記第２サブ行にあり、
前記第４ピクセルは、前記第１サブ行において前記第２方向に前記第１色の前記サブピクセルおよび前記第３色の前記サブピクセルを順次に備えるとともに、前記第２色の前記サブピクセルが前記第２サブ行にあり、
前記第５ピクセルは、前記第１サブ行において前記第２方向に前記第２色の前記サブピクセルおよび前記第１色の前記サブピクセルを順次に備えるとともに、前記第３色の前記サブピクセルが前記第２サブ行にあり、
前記第６ピクセルは、前記第１サブ行において前記第２方向に前記第３色の前記サブピクセルおよび前記第２色の前記サブピクセルを順次に備えるとともに、前記第１色の前記サブピクセルが前記第２サブ行にある、請求項７に記載の表示パネル。
【請求項１５】
前記第１色、前記第２色、および前記第３色は、青、緑または赤から選ばれた３つの異なる色である、請求項１に記載の表示パネル。
【請求項１６】
前記第１色、前記第２色、および前記第３色は、イエロー、マゼンタまたはシアンから選ばれた３つの異なる色である、請求項１に記載の表示パネル。
【請求項１７】
請求項１〜１６のいずれか一項に記載の表示パネルを備える表示装置。
【請求項１８】
前記第１色の前記第１サブピクセル、前記第２色の前記第１サブピクセル、前記第３色の前記第１サブピクセル、前記第１色の前記第２サブピクセル、前記第２色の前記第２サブピクセル、前記第３色の前記第２サブピクセル、前記第１色の前記第３サブピクセル、前記第２色の前記第３サブピクセル、および前記第３色の前記第３サブピクセルは、それぞれ異なる駆動用ＴＦＴに電気的に接続されている、請求項１７に記載の表示装置。
【請求項１９】
前記表示装置は、ＯＬＥＤ表示装置である、請求項１７に記載の表示装置。
【請求項２０】
請求項１〜１６のいずれか一項に記載の表示パネルを製造するためのマスクプレートであって、
それぞれが同色のサブピクセルに対応する複数の透光性領域を有する、マスクプレート。
【発明の詳細な説明】
【技術分野】
【０００１】
（関連出願の相互参照）
本出願は、２０１６年１２月２日に出願された中国特許出願２０１６１１０９４９４１．１号の優先権を主張するものであり、この先の出願の開示全体をここに参照のために取り込む。
【０００２】
本発明は、表示技術に関し、特に、表示パネル、表示装置、および表示パネルを製造するためのマスクプレートに関する。
【背景技術】
【０００３】
有機発光ダイオード（ＯＬＥＤ）表示装置は、自己発光型装置であり、バックライトを必要としない。ＯＬＥＤ表示装置も、従来の液晶表示（ＬＣＤ）装置に比べると、より鮮やかな色およびより広い色域を提供する。さらに、ＯＬＥＤ表示装置は、代表的なＬＣＤよりも柔軟性がありつつ、薄く、軽くすることができる。
【発明の概要】
【発明が解決しようとする課題】
【０００４】
本発明の一態様は、第１サブピクセル群の繰り返しによって並んでなる表示領域を有しており、複数の第１サブピクセル群のアレイを備える表示パネルであって、前記複数の第１サブピクセル群の各々は、第１方向に第１サブ群と第２サブ群とを順次に備え、前記第１サブ群は、前記第１方向とは異なる第２方向に、第１色の第１サブピクセルと、第２色の第１サブピクセルと、第３色の第１サブピクセルとを順次に備え、前記第２サブ群は、前記第２方向に、前記第３色の第２サブピクセルと、前記第２色の第２サブピクセルと、前記第１色の第２サブピクセルと、前記第３色の第３サブピクセルと、前記第２色の第３サブピクセルと、前記第１色の第３サブピクセルとを順次に備え、前記第１サブ群における前記第１色の前記第１サブピクセルは、前記第２サブ群における前記第３色の前記第２サブピクセルおよび前記第２色の前記第２サブピクセルに隣接し、前記第１サブ群における前記第２色の前記第１サブピクセルは、前記第２サブ群における前記第１色の前記第２サブピクセルおよび前記第３色の前記第３サブピクセルに隣接し、前記第１サブ群における前記第３色の前記第１サブピクセルは、前記第２サブ群における前記第２色の前記第３サブピクセルおよび前記第１色の前記第３サブピクセルに隣接する表示パネルを提供する。
【０００５】
前記第２方向における各行にある、前記複数の第１サブピクセル群は繰り返してなり、
各行にある前記複数の第１サブピクセル群は、隣接する行にある前記複数の第１サブピクセル群に対して千鳥状に配置されてもよい。
【０００６】
前記表示領域は、サブピクセル繰り返しユニットの繰り返しによって充填され、前記表示パネルは、複数のサブピクセル繰り返しユニットのアレイを備え、前記複数のサブピクセル繰り返しユニットは、前記複数の第１サブピクセル群と複数の第２サブピクセル群を備え、前記複数のサブピクセル繰り返しユニットの各々は、前記第１方向に、前記複数の第１サブピクセル群のうちの１つと、前記複数の第２サブピクセル群のうちの１つとを順次に備えており、前記複数の第２ピクセル群の各々は、第１方向に第３サブ群と第４サブ群とを順次に備え、前記第３サブ群は、前記第２方向に、前記第２色の第４サブピクセルと、前記第３色の第４サブピクセルと、前記第１色の第４サブピクセルとを順次に備え、前記第４サブ群は、前記第２方向に、前記第１色の第５サブピクセルと、前記第３色の第５サブピクセルと、前記第２色の第５サブピクセルと、前記第１色の第６サブピクセルと、前記第３色の第６サブピクセルと、前記第２色の第６サブピクセルとを順次に備え、前記第３サブ群における前記第２色の前記第４サブピクセルは、前記第４サブ群における前記第１色の前記第５サブピクセルおよび前記第３色の前記第５サブピクセルに隣接し、前記第３サブ群における前記第３色の前記第４サブピクセルは、前記第４サブ群における前記第２色の前記第５サブピクセルおよび前記第１色の前記第６サブピクセルに隣接し、前記第３サブ群における前記第１色の前記第１サブピクセルは、前記第４サブ群における前記第３色の前記第６サブピクセルおよび前記第２色の前記第６サブピクセルに隣接してもよい。
【０００７】
前記第２方向における各行にある、前記複数のサブピクセル繰り返しユニットは繰り返してなり、前記第１方向における各列にある、前記複数のサブピクセル繰り返しユニットは繰り返してなってもよい。
【０００８】
前記第１サブ群における前記第１色の前記第１サブピクセルは、前記第４サブ群における前記第３色の前記第５サブピクセルおよび前記第２色の前記第５サブピクセルに隣接し、前記第１サブ群における前記第２色の前記第１サブピクセルは、前記第４サブ群における前記第１色の前記第６サブピクセルおよび前記第３色の前記第６サブピクセルに隣接し、前記第１サブ群における前記第３色の前記第１サブピクセルは、前記第４サブ群における前記第２色の前記第６サブピクセルおよび前記第１色の前記第５サブピクセルに隣接してもよい。
【０００９】
前記第３サブ群における前記第２色の前記第４サブピクセルは、第１隣接サブピクセル繰り返しユニットにおける前記複数の第１サブピクセル群のうちの１つの第１サブピクセル群内の、前記第２サブ群における前記第１色の前記第３サブピクセルと、第２隣接サブピクセル繰り返しユニットにおける前記複数の第１サブピクセル群のうちの１つの第１サブピクセル群内の、前記第３色の前記第２サブピクセルとに隣接し、前記第３サブ群における前記第３色の前記第４サブピクセルは、次の隣接サブピクセル繰り返しユニットにおける前記複数の第１サブピクセル群のうちの１つの第１サブピクセル群内の、前記第２サブ群における前記第２色の前記第２サブピクセルおよび前記第１色の前記第２サブピクセルに隣接し、前記第３サブ群における前記第１色の前記第４サブピクセルは、次の隣接サブピクセル繰り返しユニットにおける前記複数の第１サブピクセル群のうちの１つの第１サブピクセル群内の、前記第２サブ群における前記第３色の前記第３サブピクセルおよび前記第２色の前記第３サブピクセルに隣接してもよい。
【００１０】
前記複数の第１サブピクセル群は、第１行において前記第２方向に順次に繰り返され、前記複数の第２サブピクセル群は、前記第１行に隣接する第２行において前記第２方向に順次に繰り返され、前記複数の第１サブピクセル群の各々と、前記複数の第２サブピクセル群の各々とは、それぞれ色違いの３つのサブピクセルずつを備えた３つのピクセルを備え、前記３つのピクセルの各々における前記色違いの３つのサブピクセルは、第１サブ行と第２サブ行に配置され、前記色違いの３つのサブピクセルの各々は、前記第１サブ行において２つのサブピクセルを備え、前記第２サブ行において１つのサブピクセルを備え、前記３つのピクセルの前記第２サブ行におけるサブピクセルは、色違いのものであり、前記複数のサブピクセル繰り返しユニットの各々における前記複数の第１サブピクセル群のうちの１つの第１サブピクセル群、および前記複数の第２サブピクセル群のうちの１つの第２サブピクセル群は、千鳥状に配置されており、前記複数の第１サブピクセル群のうちの前記１つの第１サブピクセル群における前記第２サブ行は、前記複数の第２サブピクセル群のうちの前記１つの第２サブピクセル群における前記第１サブ行に隣接し、前記複数の第１サブピクセル群のうちの前記１つの第１サブピクセル群のおける前記第２サブ行にある各サブピクセルと、前記複数の第２サブピクセル群のうちの前記１つの第２サブピクセル群のおける前記第１サブ行にある２つの隣接するサブピクセルとは、３色の色違いのサブピクセルであってもよい。
【００１１】
前記３つのピクセルの各々における前記３つの色違いのサブピクセルからの光は、所定の比率で混合されると白色光を生じるように配置されてもよい。
【００１２】
前記複数の第１サブピクセル群の各々、および前記複数の第２サブピクセル群の各々における各サブピクセルは、長方形状を有してもよい。
【００１３】
前記複数の第１サブピクセル群および前記複数の第２サブピクセル群の第１サブ行の各々にある各サブピクセルの長手方向は、前記第１方向に実質的に平行であり、前記複数の第１サブピクセル群および前記複数の第２サブピクセル群の第２サブ行の各々にある各サブピクセルの長手方向は、前記第２方向に実質的に平行であってもよい。
【００１４】
前記複数の第１サブピクセル群の各々、および前記複数の第２サブピクセル群の各々における前記３つのピクセルの各々において、前記第２サブ行にある１つのサブピクセルの長手側は前記第１サブ行にある２つのサブピクセルの外側に隣接してもよい。
【００１５】
前記複数の第１サブピクセル群の各々、および前記複数の第２サブピクセル群の各々における前記３つのピクセルは、それぞれピクセル幅を有し、前記複数のサブピクセル繰り返しユニットの各々における前記複数の第１サブピクセル群のうちの１つ、および前記複数の第２サブピクセル群のうちの１つは、前記ピクセル幅の約０．４から約０．６の範囲の距離で千鳥状に配置されてもよい。
【００１６】
前記第１サブ行にある２つの隣接するピクセルのそれぞれの２つの隣接するサブピクセルは、第１距離で離れており、前記第２サブ行にある２つの隣接するピクセルのそれぞれの２つの隣接するサブピクセルは、第２距離で離れており、前記第１距離は、前記第２距離と実質的に同じであってもよい。
【００１７】
前記複数のサブピクセル繰り返しユニットの各々における前記複数の第１サブピクセル群のうちの１つは、前記第２方向に第１ピクセル、第２ピクセル、および第３ピクセルを備え、前記複数のサブピクセル繰り返しユニットの各々における前記複数の第２サブピクセル群のうちの１つは、前記第２方向に第４ピクセル、第５ピクセル、および第６ピクセルを備え、前記第１ピクセル、前記第２ピクセル、前記第３ピクセル、前記第４ピクセル、前記第５ピクセル、および前記第６ピクセルは、それぞれ前記第１色のサブピクセル、前記第２色のサブピクセル、および前記第３色のサブピクセルを備え、前記第１ピクセルは、前記第１サブ行において前記第２方向に前記第３色の前記サブピクセルおよび前記第２色の前記サブピクセルを順次に備えるとともに、前記第１色の前記サブピクセルが前記第２サブ行にあり、前記第２ピクセルは、前記第１サブ行において前記第２方向に前記第１色の前記サブピクセルおよび前記第３色の前記サブピクセルを順次に備えるとともに、前記第２色の前記サブピクセルが前記第２サブ行にあり、前記第３ピクセルは、前記第１サブ行において前記第２方向に前記第２色の前記サブピクセルおよび前記第１色の前記サブピクセルを順次に備えるとともに、前記第３色の前記サブピクセルが前記第２サブ行にあり、前記第４ピクセルは、前記第１サブ行において前記第２方向に前記第１色の前記サブピクセルおよび前記第３色の前記サブピクセルを順次に備えるとともに、前記第２色の前記サブピクセルが前記第２サブ行にあり、前記第５ピクセルは、前記第１サブ行において前記第２方向に前記第２色の前記サブピクセルおよび前記第１色の前記サブピクセルを順次に備えるとともに、前記第３色の前記サブピクセルが前記第２サブ行にあり、前記第６ピクセルは、前記第１サブ行において前記第２方向に前記第３色の前記サブピクセルおよび前記第２色の前記サブピクセルを順次に備えるとともに、前記第１色の前記サブピクセルが前記第２サブ行にあってもよい。
【００１８】
前記第１色、前記第２色、および前記第３色は、青、緑または赤から選ばれた３つの異なる色であってもよい。
【００１９】
前記第１色、前記第２色、および前記第３色は、イエロー、マゼンタまたはシアンから選ばれた３つの異なる色であってもよい。
【００２０】
本発明の別の一態様は、上述した表示パネルを備える表示装置を提供する。
【００２１】
前記第１色の前記第１サブピクセル、前記第２色の前記第１サブピクセル、前記第３色の前記第１サブピクセル、前記第１色の前記第２サブピクセル、前記第２色の前記第２サブピクセル、前記第３色の前記第２サブピクセル、前記第１色の前記第３サブピクセル、前記第２色の前記第３サブピクセル、および前記第３色の前記第３サブピクセルは、それぞれ異なる駆動用ＴＦＴに電気的に接続されてもよい。
【００２２】
前記表示装置は、ＯＬＥＤ表示装置であってもよい。
【００２３】
本発明の別の一態様は、上述した表示パネルを製造するためのマスクプレートであって、それぞれが同色のサブピクセルに対応する複数の透光性領域を有するマスクプレートを提供する。
【図面の簡単な説明】
【００２４】
以下の図面は、開示された様々な実施形態による例示的な目的のための単なる例であり、本発明の範囲を限定するものではない。
【００２５】
【図１】図１は、従来のリアルＲＧＢ型サブピクセルアレイ構造を説明する構造模式図である。
【図２】図２は、従来のペンタイル型サブピクセルアレイ構造を説明する構造模式図である。
【図３】図３は、本発明のある実施形態の表示パネルにおけるサブピクセルアレイ構造を説明する構造模式図である。
【図４】図４は、本発明のある実施形態の表示パネルにおけるサブピクセルアレイ構造の第１サブピクセル群を説明する構造模式図である。
【図５】図５は、本発明のある実施形態の表示パネルにおけるサブピクセルアレイ構造を説明する構造模式図である。
【図６】図６は、本発明のある実施形態の表示パネルにおけるサブピクセルアレイ構造のサブピクセル繰り返しユニットを説明する構造模式図である。
【図７】図７は、本発明のある実施形態の表示パネルにおけるサブピクセルアレイ構造のサブピクセル繰り返しユニットを説明する構造模式図である。
【図８】図８は、本発明のある実施形態の表示パネルにおけるサブピクセルアレイ構造を説明する構造模式図である。
【図９】図９は、本発明のある実施形態の表示パネルにおけるサブピクセルアレイ構造の４５度の白色斜線の表示を説明する構造模式図である。
【図１０】図１０は、本発明のある実施形態の表示パネルにおけるサブピクセルアレイ構造を製造するためのマスクプレートを説明する構造模式図である。
【発明を実施するための形態】
【００２６】
以下、本発明について実施形態を参照しながらより具体的に説明する。なお、いくつかの実施形態に係る以下の説明は、例示や説明の目的で提供されたものに過ぎず、本発明を網羅または制限するためのものではない。
【００２７】
有機発光ダイオード表示装置における従来のサブピクセルアレイ構造は、リアルＲＧＢ型サブピクセルアレイ構造とペンタイル型サブピクセルアレイ構造を含む。図１は、従来のリアルＲＧＢ型サブピクセルアレイ構造を説明する構造模式図である。リアルＲＧＢ型サブピクセルアレイ構造において、各ピクセルは、赤のサブピクセル、緑のサブピクセル、および青のサブピクセルを含む。高解像度の表示装置は、ピクセルのユニット面積が非常に小さくなるので、サブピクセルをパターニングするための微細な金属マスクプレートを作るには非常に高価かつ複雑である。ペンタイル型サブピクセルアレイ構造は、高解像度表示装置の需要を満たすために開発されたものである。図２は、従来のペンタイル型サブピクセルアレイ構造を説明する構造模式図である。図２に示すように、各ピクセルは、２つの異色のサブピクセルを含んでおり、第３色のサブピクセルは、隣接するピクセルによるものである。
【００２８】
しかしながら、低解像度のペンタイル型表示装置は、４５度の白色斜線を表示する場合、表示画像に粒状や縁のギザギザに関わる問題がある。図１および図２に示すように、従来のペンタイル型サブピクセルアレイ構造における白色斜線に沿った最小構成であるピクセルユニットは、ＲＧＢ型サブピクセルアレイ構造における最小構成であるピクセルユニットよりもサブピクセルの幅分だけ広い領域を有する。このように、従来のペンタイル型サブピクセルアレイ構造は、低解像度の表示装置には適していない。
【００２９】
したがって、本発明は、とりわけ、従来技術の制限や欠点に起因する１つまたは複数の問題を実質的に除去できる表示パネル、該表示パネルを備えた表示装置、および表示パネルを製造するためのマスクプレートを提供する。本発明の一態様は、第１サブピクセル群の繰り返しによって並んでなる表示領域を有する表示パネルを提供する。いくつかの実施形態では、表示パネルは、複数の第１サブピクセル群のアレイを含む（例えば、を備える、で基本的に構成される、で構成される）。複数の第１サブピクセル群のそれぞれは、第１方向に順次に配置される第１サブ群と第２サブ群を含む（例えば、を備える、で基本的に構成される、で構成される）。第１サブ群は、第１方向とは異なる第２方向に、第１色の第１サブピクセル、第２色の第１サブピクセル、および第３色の第１サブピクセルが順次に配置される。第２サブ群は、第２方向に順次に配置される第３色の第２サブピクセル、第２色の第２サブピクセル、第１色の第２サブピクセル、第３色の第３サブピクセル、第２色の第３サブピクセル、および第１色の第３サブピクセルを含む。第１サブ群における第１色の第１サブピクセルは、第２サブ群における第３色の第２サブピクセルおよび第２色の第２サブピクセルに隣接する。第１サブ群における第２色の第１サブピクセルは、第２サブ群における第１色の第２サブピクセルおよび第３色の第３サブピクセルに隣接する。第１サブ群における第３色の第１サブピクセルは、第２サブ群における第２色の第３サブピクセルおよび第１色の第３サブピクセルに隣接する。
【００３０】
本発明に係る表示パネルにおいて、同色のサブピクセルに隣接するピクセルをなくしてもよく、すなわち、対象サブピクセルに隣接するサブピクセルのいずれかは、該対象サブピクセルとは異色のものであってもよい。
【００３１】
本発明に係る表示パネルは、２種類のサブピクセルを含んでもよい。第１種類のサブピクセルは、６つの隣接するサブピクセルに隣接している。第２種類のサブピクセルは、４つの隣接するサブピクセルに隣接している。
【００３２】
図３は、本発明のいくつかの実施形態の表示パネルにおけるサブピクセルアレイ構造を説明する構造模式図である。図４は、本発明のいくつかの実施形態の表示パネルにおけるサブピクセルアレイ構造の第１サブピクセル群を説明する構造模式図である。図３に示すように、いくつかの実施形態の表示パネルにおけるサブピクセルアレイ構造は、複数の第１サブピクセル群１０のアレイを含む（例えば、を備える、で基本的に構成される、で構成される）。複数の第１サブピクセル群１０のうちの１群は、サブピクセルアレイ構造の最小繰り返しユニットを構成する。図３に示すように、複数の第１サブピクセル群１０は、第２方向に沿って繰り返されており、各行にある第２方向に沿った複数の第１サブピクセル群１０は、隣接する行にある複数の第１サブピクセル群１０に対し、例えば、第２方向に沿った複数の第１サブピクセル群１０のうちの１群の幅の約半分だけ千鳥状に配置されている。複数の第１サブピクセル群１０は、２つの斜めの方向（第１方向および第２方向に対して斜めの方向）のそれぞれに沿って繰り返されている。
【００３３】
図４に示すように、第１サブピクセル群１０の各々は、第１サブ群１１と第２サブ群１２を含む。第１サブ群１１と第２サブ群１２は、第１方向に順次に配置される。第１サブ群１１は、第１色の第１サブピクセル１１−Ｃ１−１と、第２色の第１サブピクセル１１−Ｃ２−１と、第３色の第１サブピクセル１１−Ｃ３−１とを含む。第１色の第１サブピクセル１１−Ｃ１−１、第２色の第１サブピクセル１１−Ｃ２−１、および第３色の第１サブピクセル１１−Ｃ３−１は、第２方向に順次に配置される。第２サブ群１２は、第３色の第２サブピクセル１２−Ｃ３−２と、第２色の第２サブピクセル１２−Ｃ２−２と、第１色の第２サブピクセル１２−Ｃ１−２と、第３色の第３サブピクセル１２−Ｃ３−３と、第２色の第３サブピクセル１２−Ｃ２−３と、第１色の第３サブピクセル１２−Ｃ１−３とを含む。第３色の第２サブピクセル１２−Ｃ３−２、第２色の第２サブピクセル１２−Ｃ２−２、第１色の第２サブピクセル１２−Ｃ１−２、第３色の第３サブピクセル１２−Ｃ３−３、第２色の第３サブピクセル１２−Ｃ２−３、および第１色の第３サブピクセル１２−Ｃ１−３は、第２方向に順次に配置される。第１サブ群１１における第１色の第１サブピクセル１１−Ｃ１−１は、第２サブ群１２における第３色の第２サブピクセル１２−Ｃ３−２と第２色の第２サブピクセル１２−Ｃ２−２に隣接する。第１サブ群１１における第２色の第１サブピクセル１１−Ｃ２−１は、第２サブ群１２における第１色の第２サブピクセル１２−Ｃ１−２と第３色の第３サブピクセル１２−Ｃ３−３に隣接する。第１サブ群１１における第３色の第１サブピクセル１１−Ｃ３−１は、第２サブ群１２における第２色の第３サブピクセル１２−Ｃ２−３と第１色の第３サブピクセル１２−Ｃ１−３に隣接する。図３では、第１色は青であり（「Ｂ」で示される）、第２色は緑であり（「Ｇ」で示される）、第３色は赤である（「Ｒ」で示される）。第１サブ群１１と第サブ群１２は、第２方向に実質的に同じ幅を有してもよい。
【００３４】
第１サブ群１１における各サブピクセルの縦方向は、第２サブ群１２の各サブピクセルの縦方向に対して実質的に垂直であってもよい。第１サブ群１１における各サブピクセルの横方向は、第２サブ群１２の各サブピクセルの横方向に対して実質的に垂直であってもよい。第１サブ群１１における各サブピクセルの縦方向は、第２サブ群１２における各サブピクセルの横方向に実質的に平行であってもよい。第１サブ群１１における各サブピクセルの横方向は、第２サブ群１２における各サブピクセルの縦方向に実質的に平行であってもよい。
【００３５】
第１サブ群１１における各サブピクセルの縦方向は、第２サブ群１２の各サブピクセルの縦方向に対して実質的に平行であってもよい。第１サブ群１１における各サブピクセルの横方向は、第２サブ群１２の各サブピクセルの横方向に対して実質的に平行であってもよい。第１サブ群１１における各サブピクセルの縦方向は、第２サブ群１２における各サブピクセルの横方向に実質的に垂直であってもよい。第１サブ群１１における各サブピクセルの横方向は、第２サブ群１２における各サブピクセルの縦方向に実質的に垂直であってもよい。
【００３６】
いくつかの実施形態のサブピクセルアレイ構造は、複数のサブピクセル繰り返しユニットに分けられ、例えば、表示領域は、サブピクセル繰り返しユニットの繰り返しによって充填されており、表示パネルは、複数のサブピクセル繰り返しユニットのアレイを含む（例えば、を備える、で基本的に構成される、で構成される）ことが可能である。図５は、本発明のいくつかの実施形態の表示パネルにおけるサブピクセルアレイ構造を説明する構造模式図である。図６は、本発明のいくつかの実施形態の表示パネルにおけるサブピクセルアレイ構造のサブピクセル繰り返しユニットを説明する構造模式図である。図５に示すように、いくつかの実施形態の表示パネルにおけるサブピクセルアレイ構造は、複数のサブピクセル繰り返しユニット１に分けられている。複数のサブピクセル繰り返しユニット１は、サブピクセルアレイ構造の最小繰り返しユニットではない。また一方、複数のサブピクセル繰り返しユニット１は、各行において第２方向に繰り返され、また各列において第１方向に繰り返されることで、第１方向および第２方向に沿った複数のサブピクセル繰り返しユニット１のアレイを構成する。複数のサブピクセル繰り返しユニット１は、複数の第１サブピクセル群１０と複数の第２サブピクセル群２０を含む。複数のサブピクセル繰り返しユニット１の各々は、複数の第１サブピクセル群１０のうちの１群と、複数の第２サブピクセル群２０のうちの１群を含む。複数のサブピクセル繰り返しユニット１は、複数の第１サブピクセル群１０のうちの１群と、複数の第２サブピクセル群２０のうちの１群とが、第１方向に順次に配置される。複数のサブピクセル繰り返しユニット１は、複数の第１サブピクセル群１０のうちの１群と、複数の第２サブピクセル群２０のうちの１群とが、第２方向に実質的に同じ幅を有してもよい。また、複数のサブピクセル繰り  返しユニット１は、複数の第１サブピクセル群１０のうちの１群と、複数の第２サブピクセル群２０のうちの１群とが、第１方向に実質的に同じ幅を有してもよい。
【００３７】
図６に示すように、複数の第１サブピクセル群１０の各々は、第１サブ群１１と第２サブ群１２を含む。第１サブ群１１と第２サブ群１２は、第１方向に順次に配置される。第１サブ群１１は、第１色の第１サブピクセル１１−Ｃ１−１と、第２色の第１サブピクセル１１−Ｃ２−１と、第３色の第１サブピクセル１１−Ｃ３−１とを含む。第１色の第１サブピクセル１１−Ｃ１−１、第２色の第１サブピクセル１１−Ｃ２−１、および第３色の第１サブピクセル１１−Ｃ３−１は、第２方向に順次に配置される。第２サブ群１２は、第３色の第２サブピクセル１２−Ｃ３−２と、第２色の第２サブピクセル１２−Ｃ２−２と、第１色の第２サブピクセル１２−Ｃ１−２と、第３色の第３サブピクセル１２−Ｃ３−３と、第２色の第３サブピクセル１２−Ｃ２−３と、第１色の第３サブピクセル１２−Ｃ１−３とを含む。第３色の第２サブピクセル１２−Ｃ３−２、第２色の第２サブピクセル１２−Ｃ２−２、第１色の第２サブピクセル１２−Ｃ１−２、第３色の第３サブピクセル１２−Ｃ３−３、第２色の第３サブピクセル１２−Ｃ２−３、および第１色の第３サブピクセル１２−Ｃ１−３は、第２方向に順次に配置される。第１サブ群１１における第１色の第１サブピクセル１１−Ｃ１−１は、第２サブ群１２における第３色の第２サブピクセル１２−Ｃ３−２と第２色の第２サブピクセル１２−Ｃ２−２に隣接する。第１サブ群１１における第２色の第１サブピクセル１１−Ｃ２−１は、第２サブ群１２における第１色の第２サブピクセル１２−Ｃ１−２と第３色の第３サブピクセル１２−Ｃ３−３に隣接する。第１サブ群１１における第３色の第１サブピクセル１１−Ｃ３−１は、第２サブ群１２における第２色の第３サブピクセル１２−Ｃ２−３と第１色の第３サブピクセル１２−Ｃ１−３に隣接する。図５では、第１色は青であり（「Ｂ」で示される）、第２色は緑であり（「Ｇ」で示される）、第３色は赤である（「Ｒ」で示される）。
【００３８】
複数の第２サブピクセル群２０の各々は、第３サブ群２１と第４サブ群２２を含む。第３サブ群２１と第４サブ群２２は、第１方向に順次に配置される。第３サブ群２１は、第２色の第４サブピクセル２１−Ｃ２−４と、第３色の第４サブピクセル２１−Ｃ３−４と、第１色の第４サブピクセル２１−Ｃ１−４とを含む。第２色の第４サブピクセル２１−Ｃ２−４、第３色の第４サブピクセル２１−Ｃ３−４、および第１色の第４サブピクセル２１−Ｃ１−４は、第２方向に順次に配置される。第４サブ群２２は、第１色の第５サブピクセル２２−Ｃ１−５と、第３色の第５サブピクセル２２−Ｃ３−５と、第２色の第５サブピクセル２２−Ｃ２−５と、第１色の第６サブピクセル２２−Ｃ１−６と、第３色の第６サブピクセル２２−Ｃ３−６と、第２色の第６サブピクセル２２−Ｃ２−６とを含む。第１色の第５サブピクセル２２−Ｃ１−５、第３色の第５サブピクセル２２−Ｃ３−５、第２色の第５サブピクセル２２−Ｃ２−５、第１色の第６サブピクセル２２−Ｃ１−６、第３色の第６サブピクセル２２−Ｃ３−６、および第２色の第６サブピクセル２２−Ｃ２−６は、第２方向に順次に配置される。第３サブ群２１における第２色の第４サブピクセル２１−Ｃ２−４は、第４サブ群２２における第１色の第５サブピクセル２２−Ｃ１−５および第３色の第５サブピクセル２２−Ｃ３−５に隣接する。第３サブ群２１における第３色の第４サブピクセル２１−Ｃ３−４は、第４サブ群２２における第２色の第５サブピクセル２２−Ｃ２−５および第１色の第６サブピクセル２２−Ｃ１−６に隣接する。第３サブ群２１における第１色の第４サブピクセル２１−Ｃ１−４は、第４サブ群２２における第３色の第６サブピクセル２２−Ｃ３−６および第２色の第６サブピクセル２２−Ｃ２−６に隣接する。図５では、第１色は青であり（「Ｂ」で示される）、第２色は緑であり（「Ｇ」で示される）、第３色は赤である（「Ｒ」で示される）。
【００３９】
図６に示すように、第１サブ群１１における第１色の第１サブピクセル１１−Ｃ１−１は、第４サブ群２２における第３色の第５サブピクセル２２−Ｃ３−５および第２色の第５サブピクセル２２−Ｃ２−５に隣接しており、第１サブ群１１における第２色の第１サブピクセル１１−Ｃ２−１は、第４サブ群２２における第１色の第６サブピクセル２２−Ｃ１−６および第３色の第６サブピクセル２２−Ｃ３−６に隣接しており、第１サブ群１１における第３色の第１サブピクセル１１−Ｃ３−１は、第４サブ群２２における第２色の第６サブピクセル２２−Ｃ２−６および第１色の第５サブピクセル２２−Ｃ１−５に隣接している。
【００４０】
図５および図６に示すように、第３サブ群２１における第２色の第４サブピクセル２１−Ｃ２−４は、第１隣接サブピクセル繰り返しユニットにおける、複数の第１サブピクセル群１０のうちの１群の第２サブ群１２における第１色の第３サブピクセル１２−Ｃ１−３、および第２隣接サブピクセル繰り返しユニットにおける、複数の第１サブピクセル群１０のうちの１群の第３色の第２サブピクセル１２−Ｃ３−２に隣接する。第３サブ群２１における第３色の第４サブピクセル２１−Ｃ３−４は、次の隣接サブピクセル繰り返しユニットにおける、複数の第１サブピクセル群１０のうちの１群の第２サブ群１２における第２色の第２サブピクセル１２−Ｃ２−２および第１色の第２サブピクセル１２−Ｃ１−２に隣接する。第３サブ群２１における第１色の第４サブピクセル２１−Ｃ１−４は、次の隣接サブピクセル繰り返しユニットにおける、複数の第１サブピクセル群１０のうちの１群の第２サブ群１２における第３色の第３サブピクセル１２−Ｃ３−３および第２色の第３サブピクセル１２−Ｃ２−３に隣接する。
【００４１】
図５に示すように、第２方向における各行にある複数のサブピクセル繰り返しユニット１は、繰り返されている。第１方向における各列にある複数のサブピクセル繰り返しユニット１は、繰り返されている。
【００４２】
本発明に係るサブピクセルアレイ構造は、リアルＲＧＢ型とペンタイル型サブピクセルアレイの両方の特徴および利点を有する。したがって、本発明に係るサブピクセルアレイ構造は、本発明に係るサブピクセルアレイ構造を有する表示装置の解像度を効果的に向上させる。さらに、本発明に係るサブピクセルアレイ構造は、低解像度の表示装置だけでなく、高解像度の表示装置にも対応可能である。
【００４３】
図７は、本発明のいくつかの実施形態のサブピクセルアレイ構造における表示パネルのサブピクセル繰り返しユニットを説明する構造模式図である。図８は、本発明の実施形態の表示パネルにおけるサブピクセルアレイ構造を説明する構造模式図である。図７および図８に示すように、複数の繰り返しユニット１の各々は、複数の第１サブピクセル群１０のうちの１群と、複数の第２サブピクセル群２０のうちの１群とを含む。複数の第１サブピクセル群１０は、第１行Ｒ１において第２方向に実質的に沿って繰り返されている。複数の第２サブピクセル群２０は、第１行Ｒ１に隣接する第２行Ｒ２において第２方向に実質的に沿って繰り返されている。
【００４４】
複数の第１サブピクセル群１０の各々は、それぞれに３つの異色のサブピクセル（例えば、赤、緑、青）が含まれる３つのピクセル１００、２００、３００を含む。複数の第２サブピクセル群２０の各々は、それぞれに３つの異色のサブピクセル（例えば、赤、緑、青）が含まれる３つのピクセル４００、５００、６００を含む。３つのピクセルの各々における、３つの異色のサブピクセルからの光は、所定の比率で混合されると白色光を生じるように構成される。
【００４５】
図７に示すように、各ピクセル（例えば、ピクセル１００、２００、３００、４００、５００、６００）における３つの異色のサブピクセルは、２つの別々のサブ行、例えば、第１サブ行ｓｒ１および第２サブ行ｓｒ２に配置される。各ピクセルは、第１サブ行ｓｒ１における２つのサブピクセルと、第２サブ行ｓｒ２における１つのサブピクセルを含む。複数の第１サブピクセル群１０の各々、または複数の第２サブピクセル群２０における３つのピクセルの第２サブ行ｓｒ２にあるサブピクセルは、異色のものである。例えば、複数の第１サブピクセル群１０のうちの１群におけるピクセル１００は、第１サブ行ｓｒ１に赤のサブピクセルＲと緑のサブピクセルＧを含み、かつ第２サブ行ｓｒ２に青のサブピクセルＢを含む。複数の第１サブピクセル群１０のうちの１群におけるピクセル２００は、第１サブ行ｓｒ１に青のサブピクセルＢと赤のサブピクセルＲを含み、かつ第２サブ行ｓｒ２に緑のサブピクセルＧを含む。複数の第１サブピクセル群１０のうちの１群におけるピクセル３００は、第１サブ行ｓｒ１に緑のサブピクセルＧと青のサブピクセルＢを含み、かつ第２サブ行ｓｒ２に赤のサブピクセルＲを含む。複数の第２サブピクセル群２０のうちの１群におけるピクセル４００は、第１サブ行ｓｒ１に青のサブピクセルＢと赤のサブピクセルＲを含み、かつ第２サブ行ｓｒ２に緑のサブピクセルＧを含む。複数の第２サブピクセル群２０のうちの１群におけるピクセル５００は、第１サブ行ｓｒ１に緑のサブピクセルＧと青のサブピクセルＢを含み、かつ第２サブ行ｓｒ２に赤のサブピクセルＲを含む。複数の第２サブピクセル群２０のうちの１群におけるピクセル６００は、第１サブ行ｓｒ１に赤のサブピクセルＲと緑のサブピクセルＧを含み、かつ第２サブ行ｓｒ２に青のサブピクセルＢを含む。第１サブピクセル群１０のうちの１群における３つのピクセル１００、２００、３００の第２サブ行ｓｒ１にあるサブピクセルは、異色のサブピクセル、例えば、青のサブピクセルＢ、緑のサブピクセルＧ、赤のサブピクセルＲである。第２サブピクセル群２０のうちの１群における３つのピクセル４００、５００、６００の第２サブ行ｓｒ１にあるサブピクセルは、異色のサブピクセル、例えば、緑のサブピクセルＧ、赤のサブピクセルＲ、青のサブピクセルＢである。
【００４６】
複数のサブピクセル繰り返しユニット１の各々における、複数の第１サブピクセル群１０のうちの１群と複数の第２サブピクセル群２０のうちの１群は、互いに千鳥状に配置されている。複数の第１サブピクセル群１０のうちの１群における第２サブ行ＳＲ２は、複数の第２サブ群２０のうちの１群における第１サブ行ｓｒ１に隣接する。複数の第２サブピクセル群２０のうちの１群における第２サブ行ＳＲ２は、複数の第１サブ群１０のうちの１群における第１サブ行ｓｒ１に隣接する。複数の第１サブピクセル群１０のうちの１群における第２サブ行ｓｒ２にあるサブピクセルの各々と、複数の第２サブピクセル群２０のうちの１群における第１サブ行ｓｒ１にある２つの隣接するサブピクセルとは、３つの異色のサブピクセルである。例えば、ピクセル１００における第２サブ行ｓｒ２にある青のサブピクセルＢと、２つの隣接するサブピクセルである、ピクセル４００における第１サブ行ｒ１にある赤のサブピクセルＲおよびピクセル５００における第１サブ行ｒ１にある緑のサブピクセルＧとは、青、赤、緑のような３つの異色のサブピクセルである。ピクセル２００における第２サブ行ｓｒ２にある緑のサブピクセルＧと、２つの隣接するサブピクセルである、ピクセル５００における第１サブ行ｒ１にある青のサブピクセルＢおよびピクセル６００における第１サブ行ｒ１にある赤のサブピクセルＲとは、緑、青、赤のような３つの異色のサブピクセルである。ピクセル３００における第２サブ行ｓｒ２にある赤のサブピクセルＲと、２つの隣接するサブピクセルである、ピクセル６００における第１サブ行ｒ１にある緑のサブピクセルＧおよびピクセル４００における第１サブ行ｒ１にある青のサブピクセルＢとは、緑、青、赤のような３つの異色のサブピクセルである。同様に、複数の第２サブピクセル群２０のうちの１群における第２サブ行ｓｒ２にあるサブピクセルの各々と、複数の第１サブピクセル群１０のうちの１群における第１サブ行ｓｒ１にある２つの隣接するサブピクセルは、３つの異色のサブピクセルである。
【００４７】
本発明に係るサブピクセルアレイ構造において、６つのピクセル（１００、２００、３００、４００、５００、６００）は、２つの行（Ｒ１およびＲ２）に配置される。各行（Ｒ１またはＲ２）には、３つのピクセルが異色のサブピクセルによる異なるアレイを有する。例えば、第１行Ｒ１にあるピクセル１００、２００、３００は、赤のサブピクセルＲ、青のサブピクセルＢ、緑のサブピクセルＧによる異なるアレイを有する。第２行Ｒ２にあるピクセル４００、５００、６００は、赤のサブピクセルＲ、青のサブピクセルＢ、緑のサブピクセルＧによる異なるアレイを有する。複数の第１サブピクセル群１０のうちの１群における第２サブ行ｓｒ２にあるサブピクセルの各々と、複数の第２サブピクセル群２０のうちの１群における第１サブ行ｓｒ１にある２つの隣接するサブピクセルは、３つの異色のサブピクセルである。このように、複数の第１サブピクセル群１０のうちの１群における第２サブ行ｓｒ２にある１つのサブピクセルと、複数の第２サブピクセル群２０のうちの１群における第１サブ行ｓｒ１にある２つの隣接するサブピクセルは、１つのピクセルを構成する（例えば、図７に実線で囲まれた３つのピクセルを参照する）。したがって、複数のサブピクセル繰り返しユニット１の各々は、複数の第１サブピクセル群１０のうちの１群と、複数の第２サブピクセル群２０のうちの１群に加えて、３つのペンタイル型ピクセルを有するもう１つのサブピクセル群３０を含む（例えば、図７に実線で囲まれた３つのピクセルを参照する）。このように、複数のサブピクセル繰り返しユニット１の各々は、それぞれが３つのＲＧＢ型ピクセルを有する２つのサブピクセル群（例えば、１０および２０）と、３つのペンタイル型ピクセルを有する１つのサブピクセル群３０とを含む。
【００４８】
このように、本発明に係るサブピクセルアレイ構造において、仮想ピクセルの３行が実在ピクセルの２行によって得られ、仮想ピクセルの５行が実在ピクセルの３行によって得られ、仮想ピクセルの（２Ｎ−１）行が実在ピクセルのｎ行によって得られることで、本発明に係るサブピクセルアレイ構造を有する表示パネルの解像度を大幅に向上させることができる。４５度白色斜線を表示するとき、従来の表示パネルに比べると、その内容がより連続的かつ滑らかに表示され、表示画像における粒状や縁のギザギザに関わる問題を大幅に改善することができる。さらに、本発明に係るサブピクセルアレイ構造は、低ＰＰＩと高ＰＰＩの表示パネルの両方への適用には互換性がある。本発明に係るサブピクセルアレイ構造を有する表示パネルは、従来のペンタイル型表示パネルと比較して多くの利点を有する。
【００４９】
本発明に係るサブピクセルアレイ構造におけるサブピクセルは、種々の適切な形状、寸法、やサイズを採用可能である。適切な形状の例としては、長方形、正方形、円形、ひし形、五角形、六角形などが挙げられる。第１サブ行ｓｒ１にあるサブピクセルのすべては、実質的に同じ形状、寸法およびサイズであってもよい。第２サブ行ｓｒ２にあるサブピクセルのすべては、実質的に同じ形状、寸法およびサイズであってもよい。本発明に係るサブピクセルアレイ構造におけるサブピクセルのすべては、実質的に同じ形状、寸法及びサイズのものであってもよい。
【００５０】
いくつかの実施形態では、複数の第１サブピクセル群１０の各々および複数の第２サブピクセル群２０の各々における各サブピクセルは、長方形状を有する。複数の第１サブピクセル群１０および複数の第２サブピクセル群２０の第１サブ行ｓｒ１の各々にある各サブピクセルの縦方向は、第１方向、例えば列方向と実質的に平行である。例えば、ピクセル１００、２００、３００、４００、５００、６００の第１サブ行ｓｒ１の各々における各サブピクセルの縦方向は、第１方向に実質的に平行である。複数の第１サブピクセル群１０および複数の第２サブピクセル群２０の第２サブ行ｓｒ２の各々にある各サブピクセルの縦方向は、第２方向、例えば行方向と実質的に平行である。例えば、ピクセル１００、２００、３００、４００、５００、６００の第２サブ行ｓｒ２の各々における各サブピクセルの縦方向は、第１方向に実質的に平行である。ここで、用語「縦方向」とは、物体または表面の長辺（例えば、最も長い辺）に平行な方向である。ここで、用語「横方向」とは、物体または表面の短辺（例えば、最も短い辺）に平行な方向である。
【００５１】
図７に示すように、複数の第１サブピクセル群１０の各々の３つのピクセルは、それぞれピクセル幅ａを有しており、複数の第２サブピクセル群２０の各々の３つのピクセルは、それぞれピクセル幅ａを有する。複数のサブピクセル繰り返しユニット１の各々における、複数の第１サブピクセル群１０のうちの１群と複数の第２サブピクセル群２０のうちの１群とは、約０．４ａ〜約０．６ａ、例えば０．５ａの距離だけ、千鳥状に配置されている。これによって、複数の第１サブピクセル群１０のうちの１群の任意のピクセルにおける第２サブ行ｓｒ２にある１つのサブピクセルと、複数の第２サブピクセル群２０のうちの１群の任意のピクセルにおける第１サブ行ｓｒ１にある２つの隣接するサブピクセルは、１つのピクセルを構成する。図７および図８に示すように、複数の第１サブピクセル群１０のうちの１群のピクセル１００における第２サブ行ｓｒ２にある青のサブピクセルＢと、２つの隣接するサブピクセルである、複数の第２サブピクセル群２０のうちの１群の、ピクセル４００における第１サブ行ｒ１にある赤のサブピクセルＲおよびピクセル５００における第１サブ行ｒ１にある緑のサブピクセルＧとは、１つのピクセルを構成する（例えば、図７に実線で囲まれた３つのピクセルを参照する）。
【００５２】
本発明に係る各ピクセルが約ａ２のピクセル領域を有するサブピクセルアレイ構造を備えた表示パネルを用いて４５度白色斜線を表示するとき、各ピクセルが同一のピクセル領域を有する従来のペンタイル型表示パネルに比べると、その内容がより連続的かつ滑らかに表示され、表示画像における粒状や縁のギザギザに関わる問題を大幅に改善することができる。例えば、図２に示すように、従来のペンタイル型サブピクセルアレイ構造は、白色斜線に沿った（ａ＊（ａ＋Ｗ））の面積を有する最小構成ピクセルユニットを有しており、ただし、ＷはサブピクセルＲ、サブピクセルＢ、またはサブピクセルＧのサブピクセル幅である。従来のペンタイル型サブピクセルアレイ構造で表示された４５度白色斜線では、４５度白色斜線に沿った２つの隣接する最小構成ピクセルユニットは、水平方向に距離ａだけ互いにシフトされる。
【００５３】
図９は、本発明のいくつかの実施形態の表示パネルにおけるサブピクセルアレイ構造の４５度白色斜線の表示を説明する構造模式図である。図９に示すように、本発明に係るサブピクセルアレイ構造は、４５度白色斜線に沿ったａ２の面積を有する最小構成ピクセルユニットを有する。本発明に係るサブピクセルアレイ構造で表示された４５度白色斜線では、４５度白色斜線に沿った２つの隣接する最小構成ピクセルユニットが、水平方向に距離ａだけ互いにシフトされる。本発明に係るサブピクセルアレイ構造で表示された４５度白色斜線では、４５度白色斜線に沿った２つの隣接する最小構成ピクセルユニットが、水平方向（第２方向）にＷＬ（サブピクセルの縦幅）、ＷＲ（サブピクセルの横幅）、またはピクセル幅ａで互いにシフトされており、４５度白色斜線に沿った２つの隣接する最小構成ピクセルユニットが、垂直方向（第１方向）にＷＬ（サブピクセルの縦幅）、ＷＲ（サブピクセルの横幅）、またはピクセル幅ａで互いにシフトされる。従来のペンタイル型サブピクセルアレイ構造と比較すると、本発明に係るサブピクセルアレイ構造は、隣接する最小構成ピクセルユニットの第１方向および第２方向に沿った相対的なシフトが低減され、その内容がより連続的かつ滑らかに表示され、表示画像における粒状や縁のギザギザに関わる問題を大幅に改善することができる。さらに、本発明に係るサブピクセルアレイ構造は、低ＰＰＩと高ＰＰＩの表示パネルの両方への適用には互換性がある。本発明に係るサブピクセルアレイ構造を有する表示パネルは、従来のペンタイル型表示パネルと比較して多くの利点を有する。
【００５４】
いくつかの実施形態では、各ピクセルにおいて、第１サブ行ｓｒ１にある２つのサブピクセルは、互いに離間され、図９に示すように、第２サブ行ｓｒ２にある１つのサブピクセルは、第１サブ行ｓｒ１にある２つのサブピクセル間の間隔に対応する位置に配置される。複数の第１サブピクセル群１０の各々の３つのピクセルは、それぞれ第２サブ行ｓｒ２にある１つのサブピクセルの縦側が、第１サブ行ｓｒ１にある２つのサブピクセルの横側に隣接しており、複数の第２サブピクセル群２０の各々は、第２サブ行ｓｒ２にある１つのサブピクセルの縦側が、第１サブ行ｓｒ１にある２つのサブピクセルの横側に隣接する。例えば、図６に示すように、サブピクセル１１−Ｃ１−１の縦側は、サブピクセル１２−Ｃ３−２、１２−Ｃ２−２の横側に隣接する。別の例では、図７に示すように、ピクセル４００における第２サブ行ｓｒ２にある緑のサブピクセルＧの縦側は、ピクセル４００における第１サブ行ｓｒ１にある青のサブピクセルＢおよび赤のサブピクセルＲの横側に隣接する。同様に、複数の第１サブピクセル群１０の各々の３つのピクセルの各々における第２サブ行ｓｒ２にある１つのサブピクセルの縦側は、複数の第２サブピクセル群２０の１群または複数群からの第１サブ行ｓｒ１にある２つの隣接するサブピクセルの横側に隣接する。複数の第２サブピクセル群２０の各々の３つのピクセルの各々における第２サブ行ｓｒ２にある１つのサブピクセルの縦側は、複数の第１サブピクセル群１０の１群または複数群からの第１サブ行ｓｒ１にある２つの隣接するサブピクセルの横側に隣接してもよい。
【００５５】
いくつかの実施形態では、第１サブ行ｓｒ１においてそれぞれ２つの隣接するピクセルにある２つの隣接するサブピクセルは、第１距離で離れており、第２サブ行ｓｒ２においてそれぞれ２つの隣接するピクセルにある２つの隣接するサブピクセルは、第２距離で離れる。第１距離は、第２距離と実質的に同じであってもよい。
【００５６】
いくつかの実施形態では、複数のサブピクセル繰り返しユニット１の各々における複数の第１サブピクセル群１０のうちの１群は、第２方向に第１ピクセル１００、第２ピクセル２００、および第３ピクセル３００を含んでおり、複数のサブピクセル繰り返しユニット１の各々における複数の第２サブピクセル群２０のうちの１群は、第２方向に第４ピクセル４００、第５ピクセル５００、および第６ピクセル６００を含む。第１ピクセル１００、第２ピクセル２００、第３ピクセル３００、第４ピクセル４００、第５ピクセル５００、および第６ピクセル６００は、それぞれ第１色のサブピクセル、第２色のサブピクセル、および第３色のサブピクセルを含む。第１ピクセル１００は、第１サブ行ｓｒ１において第２方向に第３色のサブピクセルおよび第２色のサブピクセルを順次に含み、第２サブ行ｓｒ２において第１色のサブピクセルを含んでもよい。第２ピクセル２００は、第１サブ行ｓｒ１において第２方向に第１色のサブピクセルおよび第３色のサブピクセルを順次に含み、第２サブ行ｓｒ２において第２色のサブピクセルを含んでもよい。第３ピクセル３００は、第１サブ行ｓｒ１において第２方向に第２色のサブピクセルおよび第１色のサブピクセルを順次に含み、第２サブ行ｓｒ２において第３色のサブピクセルを含んでもよい。第４ピクセル４００は、第１サブ行ｓｒ１において第２方向に第１色のサブピクセルおよび第３色のサブピクセルを順次に含み、第２サブ行ｓｒ２において第２色のサブピクセルを含んでもよい。第５ピクセル５００は、第１サブ行ｓｒ１において第２方向に第２色のサブピクセルおよび第１色のサブピクセルを順次に含み、第２サブ行ｓｒ２において第３色のサブピクセルを含んでもよい。第６ピクセル６００は、第１サブ行ｓｒ１において第２方向に第３色のサブピクセルおよび第２色のサブピクセルを順次に含み、第２サブ行ｓｒ２において第２色のサブピクセルを含んでもよい。このように、第１ピクセル１００と第６ピクセル６００とは同一のサブピクセルアレイ構造を有しており、第２ピクセル２００と第４ピクセル４００とは同一のサブピクセルアレイ構造を有しており、第３ピクセル３００と第５ピクセル５００とは同一のサブピクセルアレイ構造を有する。
【００５７】
いくつかの実施形態では、第１色、第２色、および第３色は、青、緑、赤から選ばれた３つの異なる色です。第１色は青であり、第２色は緑であり、第３色は赤であってもよい。第１ピクセル１００および第６ピクセル６００はＲＧＢピクセルであり、第２ピクセル２００および第４ピクセル４００はＢＲＧピクセルであり、第３ピクセル３００および第５ピクセル５００はＧＢＲピクセルであってもよい。
【００５８】
一例では、複数のサブピクセル繰り返しユニット１は、それぞれ６つのピクセル、すなわち第１行Ｒ１にある第１ピクセル１００、第２ピクセル２００、および第３のピクセル３００と、第２行Ｒ２にある第４ピクセル４００、第５ピクセル５００、および第６ピクセル６００とを含む。別の例では、第１行Ｒ１にある複数の第１サブピクセル群１０は、それぞれ１つのＲＧＢピクセル、１つのＢＲＧピクセル、および１つのＧＢＲピクセルを含んでおり、第２行Ｒ２にある複数の第２サブピクセル群２０は、それぞれ１つのＢＲＧピクセル、１つのＧＢＲピクセル、および１つのＲＧＢピクセルを含む。複数のサブピクセル繰り返しユニット１の各々における、複数の第１サブピクセル群１０のうちの１群および複数の第２サブピクセル群２０のうちの１群は、約０．５ａの距離だけ互いに位置ずらしており、ただし、ａはピクセル幅である。このサブピクセルアレイ構造を有することで、複数の第１サブピクセル群１０のうちの１群の第１ピクセル１００（ＲＧＢピクセル）における青のサブピクセルＢと、複数の第２サブピクセル群２０のうちの１群の第４ピクセル４００（ＢＲＧピクセル）における赤のサブピクセルＲと、複数の第２サブピクセル群２０のうちの１群の第５ピクセル５００（ＧＢＲピクセル）における緑のサブピクセルＢとは、１つの仮想ピクセルＲＧＢ’を構成する。同様に、複数の第１サブピクセル群１０のうちの１群の第２ピクセル２００（ＢＲＧピクセル）における緑のサブピクセルＧと、複数の第２サブピクセル群２０のうちの１群の第５ピクセル５００（ＧＢＲピクセル）における青のサブピクセルＢと、複数の第２サブピクセル群２０のうちの１群の第６ピクセル６００（ＲＧＢピクセル）における赤のサブピクセルＲとは、１つの仮想ピクセルＢＲＧ’を構成する。複数の第１サブピクセル群１０のうちの１群の第３ピクセル３００（ＧＢＲピクセル）における赤のサブピクセルＲと、複数の第２サブピクセル群２０のうちの１群の第６ピクセル６００（ＲＧＢピクセル）における緑のサブピクセルＧと、複数の第２サブピクセル群２０のうちの１群の第４ピクセル４００（ＢＲＧピクセル）における青のサブピクセルＢとは、１つの仮想ピクセルＧＢＲ’を構成する。仮想ピクセルＲＧＢ’と第１ピクセル１００とは、互いに鏡面対象である。仮想ピクセルＢＲＧ’と第２のピクセル２００とは、互いに鏡面対象である。仮想ピクセルＧＢＲ’と第３のピクセル３００とは、互いに鏡面対象である。
【００５９】
第１色、第２色、および第３色は、イエロー、マゼンタまたはシアンから選ばれた３つの異なる色であってもよい。
【００６０】
第１色のサブピクセル、第２色のサブピクセル、および第３色のサブピクセルは、実質的に同じ形状、サイズ、および寸法を有してもよい。これによって、第１色のサブピクセルに対応する複数の透光性領域を有するマスクプレートを用いて、第１色のサブピクセルにおける層のパターニング（例えば、蒸着による）を実施可能である。その後、複数の透光性領域を第２色のサブピクセルに対応する位置に移動させるだけで、同じマスクプレートを用いて第２色のサブピクセルにおける対応する層のパターニングを実施可能である。同様に、複数の透光性領域を第３色のサブピクセルに対応する位置に移動させるだけで、同じマスクプレートを用いて第３色のサブピクセルにおける対応する層のパターニングを実施可能である。
【００６１】
別の一態様では、本発明は、上述したサブピクセルアレイ構造を有する表示装置をさらに提供する。第１色の第１サブピクセル、第２色の第１サブピクセル、第３色の第１サブピクセル、第１色の第２サブピクセル、第２色の第２サブピクセル、第３色の第２サブピクセル、第１色の第３サブピクセル、第２色の第３サブピクセル、および第３色の第３サブピクセルは、異なる駆動用ＴＦＴに電気的に接続されてもよい。表示装置は、表示装置におけるサブピクセルに動作可能に接続された制御回路を含んでおり、表示データを受信して制御信号に変換することで、サブピクセルアレイ構造におけるサブピクセルを駆動するように構成されてもよい。適切な表示装置の例として、電子ペーパー、携帯電話、タブレットコンピュータ、テレビ、モニタ、ノートブックコンピュータ、デジタルアルバム、ＧＰＳなどが挙げられるが、これらに限定されない。表示装置は、ＯＬＥＤ表示装置であってもよく、液晶表示装置であってもよい。
【００６２】
別の一態様では、本発明は、上述したサブピクセルアレイ構造を製造するためのマスクプレートをさらに提供する。図１０は、本発明のいくつかの実施形態の表示パネルにおけるサブピクセルアレイ構造を製造するためのマスクプレートを説明する構造模式図である。図１０に示すように、マスクプレートは、複数の透光性領域３１および遮光性領域３２を含む。複数の透光性領域３１は、それぞれ同色のサブピクセルに対応する。
【００６３】
いくつかの実施形態では、第１色のサブピクセル、第２色のサブピクセル、および第３色のサブピクセルは、実質的に同じ形状、サイズおよび寸法を有する。これによって、第１色のサブピクセルに対応する複数の透光性領域を有するマスクプレートを用いて、第１色のサブピクセルにおける層のパターニング（例えば、蒸着による）を実施可能である。その後、複数の透光性領域を第２色のサブピクセルに対応する位置に移動させるだけで、同じマスクプレートを用いて第２色のサブピクセルにおける対応する層のパターニングを実施可能である。同様に、複数の透光性領域を第３色のサブピクセルに対応する位置に移動させるだけで、同じマスクプレートを用いて第３色のサブピクセルにおける対応する層のパターニングを実施可能である。このように、同一のマスクプレートは、３つのパターニングステップのそれぞれにおいて第１色、第２色および第３色のサブピクセルのパターニングに用いられる。
【００６４】
いくつかの実施形態では、第１色のサブピクセル、第２色のサブピクセル、および第３色のサブピクセルは、異なる形状、サイズ、および寸法を有する。第１色、第２色、および第３色のサブピクセルのパターニングには、３つの異なるマスクプレートが必要とされてもよい。
【００６５】
本発明の実施形態について前述した説明は、例示または説明するためのものである。前述した説明は、本発明を網羅すること、または、詳細な形態や例示的実施例に限定することを意図していない。従って、前述した説明は、限定ではなく例示とみなされるべきである。当業者であれば、様々な変形や変更が行えることは明らかであろう。実施形態は、本発明の原理または本発明を実行する最良の態様を説明する目的で提供されたものであり、それにより、当業者にとっては、実際的または意図的な適用に応じて、本発明が様々な実施形態および変更態様として実施することができることは明らかである。本発明の範囲は、添付した特許請求の範囲及びその均等物によって定義されることが意図されており、ここで使用されるすべての用語は特に説明しない限り、それらの最も広くて合理的な意味を表す。従って、「発明」、「本発明」などのような用語は、必ずしも請求の範囲を特定の実施形態に限定するものではない。本発明の実施形態に関する記載は、特に限定する意味ではなく、そのような限定も推測されるべきではない。本発明は、添付した特許請求の範囲の精神や範囲のみによって限定されるものである。また、これらの請求項は、名詞または構成要素が続く「第１」、「第２」などを使用する場合がある。数を特定しない限り、そのような用語は、名称と理解されるべき、構成要素の数量を制限するように解釈されるものではない。上記した利点および効果のいずれかは、すべての実施形態に適用されない場合がある。当業者であれば、特許請求の範囲によって定義される本発明の範囲から逸脱することなしに、前述した実施形態に様々な変更を行うことができるのが好ましい。また、本開示における構成要素または部品は、クレームされているかどうかに関係なく、公衆に献呈されたとはいえない。
【符号の説明】
【００６６】
１  複数のサブピクセル繰り返しユニット
１０  第１サブピクセル群
１１  第１サブ群
１２  第２サブ群
２０  第２サブピクセル群
２１  第３サブ群
２２  第４サブ群
３０  サブピクセル群
３１  透光性領域
３２  遮光性領域
１００  ピクセル
２００  ピクセル
３００  ピクセル
４００  ピクセル
５００  ピクセル
６００  ピクセル
【図１】
2020501170.tif 000003
【図２】
2020501170.tif 000004
【図３】
2020501170.tif 000005
【図４】
2020501170.tif 000006
【図５】
2020501170.tif 000007
【図６】
2020501170.tif 000008
【図７】
2020501170.tif 000009
【図８】
2020501170.tif 000010
【図９】
2020501170.tif 000011
【図１０】
2020501170.tif 000012
【国際調査報告】
2020501170.tif 000013
2020501170.tif 000014